(57)【要約】      （修正有）【課題】開閉用シャッタを備える木質家具において、開閉用シャッタの開閉操作により木粉が発生しない開閉用シャッタの構造を提供する。【解決手段】木質家具の側壁３に形成された一対の断面コ字状のガイド溝２３に、さらに断面円弧状のローラ溝２４が形成され、当該ローラ溝２４にシャッタ用開閉板を形成するヒンジ部材１３の両端部に配された案内ローラ２１が回動する。案内ローラ２１の外周部の曲率半径はローラ溝２４の曲率半径以下であって、且つ、ローラ溝２４は案内ローラ２１の側面がガイド溝２３の直立壁と接触しないように形成されている。【選択図】図７
0003153999.tif 000002
【実用新案登録請求の範囲】
【請求項１】
帯板状の複数のプレートが複数のプレートの間に介在する各ヒンジ部材によって屈曲自在に連結されたシャッタ用開閉板と、前記シャッタ用開閉板の両端縁部を保持する一対の断面コ字状のガイド溝が側壁に形成された筐体とを備えた木質家具の開閉用シャッタであって、
前記ヒンジ部材の両端部には、前記シャッタ用開閉板が開閉される際に前記開閉方向に沿って回転運動する案内ローラがそれぞれ配され、
前記案内ローラは外周部が断面円弧状に形成され、
前記ガイド溝には案内ローラが走行するための断面円弧状のローラ溝が形成され、
前記案内ローラの外周部の曲率半径は前記ローラ溝の曲率半径以下であって、且つ、前記ローラ溝は前記案内ローラの側面が前記ガイド溝の直立壁と接触しないように形成されていることを特徴とする木質家具の開閉用シャッタ。
【請求項２】
前記プレートの短辺側の両端部には、前記ガイド溝の直立壁又は前記筐体の側壁と接する一対の補助ローラが配されている、請求項１に記載の木質家具の開閉用シャッタ。
【請求項３】
帯板状の複数のプレートが複数のプレートの間に介在する各ヒンジ部材によって屈曲自在に連結されたシャッタ用開閉板と、前記シャッタ用開閉板の両端縁部を保持する一対の断面コ字状のガイド溝が側壁に形成された筐体とを備えた木質家具の開閉用シャッタであって、
前記ヒンジ部材の両端部には、前記シャッタ用開閉板が開閉される際に前記開閉方向に沿って回転運動する案内ローラがそれぞれ配され、
前記プレートの短辺側の両端部には、前記シャッタ用開閉板が開閉される際に、前記ガイド溝の直立壁又は前記筐体の側壁と接する一対の補助ローラが配されている木質家具の開閉用シャッタ。
【考案の詳細な説明】
【技術分野】
【０００１】
本考案は、木質家具用の開閉用シャッタに関するものである。
【背景技術】
【０００２】
従来よりオフィスや一般家庭で用いられる家具には、引き戸構造の扉や観音開き構造の扉が多く使用されている。しかし、引き戸構造の扉は片側の扉相当分しか開口部が得られない。一方、観音開き構造の扉は開閉のため扉前方に開閉用の空間を確保する必要があり、大きな空間を必要とする。
【０００３】
このような不都合を解消するために、特開平６−１７３５４３号公報（以下、特許文献１という。）の家具用のシャッター扉装置がある。この家具用のシャッター扉装置では、背板の左右辺に固着された１対の側板と上下辺に固着された天板、地板によって囲繞された箱体家具において、１対の側板の対向内面または天板、地板の対向内面にシャッターレール保持手段を設け、複数の直線レール部材と、複数の隅部曲線レール部材とを設けてシャッターレールを形成し、そのシャッターレールにシャッター扉を装入する構成としている。
【先行技術文献】
【特許文献】
【０００４】
【特許文献１】特開平６−１７３５４３号公報
【考案の概要】
【考案が解決しようとする課題】
【０００５】
しかし、特許文献１の家具用のシャッター扉装置では、箱体家具の内面にシャッターレール保持手段を設け、さらに複数の直線レール部材と、複数の隅部曲線レール部材とを設けなければならず、部品点数が多く製造コストが高くなる。
【０００６】
一方、箱体家具が木製であって箱体家具の内面に直接シャッター保持用の溝を刻設する場合がある。このときには、スラットの両端面に装着された滑り子とシャッター保持用の溝が接触するため、摩擦によりシャッター保持用の溝から木粉が発生するという不都合が考えられる。
【０００７】
そこで、本考案の一つの目的は、部品点数が少なく安価に製造できるとともに、開閉用シャッタの開閉操作により木粉が発生しない木質家具の開閉用シャッタの構造を提供するものである。
【課題を解決するための手段】
【０００８】
この考案の一つの局面に従った木質家具の開閉用シャッタは、帯板状の複数のプレートが複数のプレートの間に介在する各ヒンジ部材によって屈曲自在に連結されたシャッタ用開閉板と、シャッタ用開閉板の両端縁部を保持する一対の断面コ字状のガイド溝が側壁に形成された筐体とを備えた木質家具の開閉用シャッタである。ヒンジ部材の両端部には、シャッタ用開閉板が開閉される際に開閉方向に沿って回転運動する案内ローラがそれぞれ配されている。案内ローラは外周部が断面円弧状に形成されている。ガイド溝には案内ローラが走行するための断面円弧状のローラ溝が形成されている。案内ローラの外周部の曲率半径はローラ溝の曲率半径以下であって、且つ、ローラ溝は案内ローラの側面がガイド溝の直立壁と接触しないように形成されていることを特徴とする。
【０００９】
この考案の一つの局面に従った木質家具の開閉用シャッタにおいては、木質家具の側壁には一対の断面コ字状のガイド溝が形成されており、ガイド溝には開閉用シャッタを形成するヒンジ部材の両端部に配された案内ローラを回動させるために断面円弧状のローラ溝が形成されている。一方、シャッタ用開閉板のヒンジ部材の両端部には案内ローラが配されており、案内ローラの外周部は断面円弧状に形成されている。案内ローラの断面円弧状の外周部の曲率半径はローラ溝の曲率半径以下に形成され、また、ローラ溝は案内ローラがローラ溝を走行する際に、案内ローラの側面がガイド溝の直立壁と接触しないように形成されている。
【００１０】
以上により、案内ローラの断面円弧状の外周部の曲率半径はローラ溝の曲率半径以下に形成され、ローラ溝は案内ローラの側面がガイド溝と接触しないように形成されているので、案内ローラは安定してガイド溝の直立壁と接触せずにローラ溝を走行することができる。従って、シャッタ用開閉板の開閉時に案内ローラの側面がガイド溝の直立壁と接触して木粉を発生することはない。
【００１１】
この考案の一つの局面に従った木質家具の開閉用シャッタは、プレートの短辺側の両端部には、ガイド溝の直立壁又は筐体の側壁と接する一対の補助ローラが配されていることが好ましい。
【００１２】
この考案の一つの局面に従った木質家具の開閉用シャッタにおいては、シャッタ用開閉板を形成するプレートの短辺側の両端部は補助ローラが配されており、補助ローラはガイド溝の直立壁又は筐体の側壁に接触しながら回動することができる。従って、シャッタ用開閉板の開閉時に補助ローラがガイド溝の直立壁又は筐体の側壁に接触しながら回動するので、シャッタ用開閉板の開閉時に案内ローラはより安定してローラ溝を走行することができる。
【００１３】
この考案のもう一つの局面に従った木質家具の開閉用シャッタは、帯板状の複数のプレートが複数のプレートの間に介在する各ヒンジ部材によって屈曲自在に連結されたシャッタ用開閉板と、シャッタ用開閉板の両端縁部を保持する一対の断面コ字状のガイド溝が側壁に形成された筐体とを備えた木質家具の開閉用シャッタである。ヒンジ部材の両端部には、シャッタ用開閉板が開閉される際に開閉方向に沿って回転運動する案内ローラがそれぞれ配されている。プレートの短辺側の両端部には、シャッタ用開閉板が開閉される際に、ガイド溝の直立壁又は前記側壁と接する一対の補助ローラが配されていることが好ましい。
【００１４】
この考案のもう一つの局面に従った木質家具の開閉用シャッタにおいては、筐体の側壁には一対の断面コ字状のガイド溝が形成されている。一方、シャッタ用開閉板を形成するヒンジ部材の両端部には案内ローラが配されている。また、シャッタ用開閉板を形成するプレートの短辺側の両端部には補助ローラが配されており、補助ローラはガイド溝の直立壁又は筐体の側壁に接触しながら回動することができる。
【００１５】
以上により、補助ローラが断面コ字状のガイド溝の直立壁又は筐体の側壁に接触しながら回動するので、案内ローラは安定してガイド溝を走行することができ、シャッタ用開閉板の開閉時に案内ローラの側面がガイド溝の直立壁と接触して木粉を発生することはない。
【考案の効果】
【００１６】
以上のように、この考案の一つの局面によれば、ローラ溝の曲率半径が案内ローラ外周部の曲率半径以上に形成され、また、ローラ溝は案内ローラの側面がガイド溝と接触しない位置に形成されているので、シャッタ用開閉板の開閉時に案内ローラは安定してローラ溝を走行することができ、ガイド溝の直立壁と接触して木粉を発生することはない。
【００１７】
また、この考案のもう一つの局面によれば、補助ローラが断面コ字状のガイド溝の直立壁又は筐体の側壁に接触しながら回転運動するので、案内ローラは安定してガイド溝を走行することができ、シャッタ用開閉板の開閉時に案内ローラの側面がガイド溝の直立壁と接触して木粉を発生することはない。
【図面の簡単な説明】
【００１８】
【図１】本考案の一つの実施の形態に従った木質家具の開閉用シャッタを具備する木質家具の全体を示す斜視図である。
【図２】図１の木質家具の平面図である。
【図３】図１の木質家具の側面図である。
【図４】本考案の一つの実施の形態に従った木質家具の開閉用シャッタにおいて、図２の４−４により示されるヒンジとプレートの関係を示す断面図である。
【図５】本考案の一つの実施の形態に従った木質家具の開閉用シャッタにおいて、筐体の側壁とヒンジの関係を示す断面図である。
【図６】図５に示すヒンジの部分断面図である。
【図７】本考案の一つの実施の形態に従った木質家具の開閉用シャッタにおいて、筐体の側壁とヒンジの関係を示す他の断面図である。
【図８】本考案のもう一つの実施の形態に従った木質家具の開閉用シャッタにおいて、筐体の側壁とヒンジの関係を示す断面図である。
【図９】本考案のさらにもう一つの実施の形態に従った木質家具の開閉用シャッタにおいて、筐体の側壁とヒンジの関係を示す断面図である。
【考案を実施するための最良の形態】
【００１９】
この考案の一つの実施の形態を図１〜図７に基づいて説明する。
【００２０】
図１に示すように、木質家具１には、木質材料から形成される筐体２にシャッタ用開閉板１１（図３参照。）が取り付けられている。筐体２を形成する側壁３に一対の断面コ字状のガイド溝２３が対向状態に形成され、ガイド溝２３にシャッタ用開閉板１１が移動自在に保持されている。
【００２１】
図２及び図３に示すように、シャッタ用開閉板１１は、複数の横方向に長いプレート１２の長辺相互を各ヒンジ１３により連結することにより、各プレート１２が屈曲自在になるように構成されている。図４に示すように、ヒンジ１３の両側に設けた側溝１３２に、プレート１２の長辺側の端縁をそれぞれ回動自在に嵌め込む構成とする。側溝１３２内にはプレート１２の回動支点となる断面円弧状の凸部１３３が形成されてあり、プレート１２には長辺に沿って上記凸部１３３に回動自在に係合する凹部１２１が形成されている。プレート１２を側溝１３２内に差し込んで、凹部１２１を凸部１３３に係合させることにより、プレート１２は、凹部１２１と凸部１３３との係合部を回動支点として所定角度屈曲させることができる。
【００２２】
図５に示すように、筐体２の側壁３に対向状態に形成された一対のガイド溝２３の上壁部２３１及び下壁部２３２には、断面円弧状の補助溝２４が案内ローラ２１の側面２１４がガイド溝２３の直立壁２３３に接しない位置に形成されている。また、一対のガイド溝２３に形成された各補助溝２４間の距離は、各ヒンジ１３の両端に配された案内ローラ２１間の距離に等しい。
【００２３】
図６に示すように、ヒンジ１３には挿通孔１３１が形成されており、ヒンジ１３の長手方向両端部の挿通孔１３１に案内ローラ２１が配されている。案内ローラ２１は、ネジ部２１１と、前記ネジ部２１１を回転軸とする回転頭部２１２とを有し、案内ローラ２１のネジ部２１１をヒンジ１３の挿通孔１３１に螺合させる。案内ローラ２１の円弧部２１３の曲率半径は、各補助溝２４の曲率半径以下である。
【００２４】
以上の構成を有するので、シャッタ用開閉板１１の開閉時に各案内ローラ２１がガイド溝２３に形成された補助溝２４上を回動する際には、シャッタ用開閉板１１は対向する側壁３の間をプレート１２の長辺方向に動くことなく安定してガイド溝２３内に形成された補助溝２４を走行する。従って、各案内ローラ２１の側面２１４がガイド溝２３の直立壁２３３に接することはないので、木粉も発生しない。
【００２５】
図７は、筐体の側壁とヒンジの関係を示す他の断面図であって、連結方向両端部のシャッタ用開閉板１１とガイド溝２３との関係を示すものである。
【００２６】
本実施形態においては、連結方向両端部のプレート１２の両端の短辺部には、ボルト及びナットのような適宜な方法によりスペーサ２２１を介して補助ローラ２２が取り付けられている。各補助ローラ２２は、シャッタ用開閉板１１の開閉時に筐体２の側壁３上を回動することができる位置に配されている。
【００２７】
このような構成によって、シャッタ用開閉板１１が対向する側壁３の間をプレート１２の長辺方向に動くことなく安定してガイド溝２３内に形成された補助溝２４を走行するので、各案内ローラ２１がガイド溝２３の直立壁２３３に接することはなく、木粉も発生しない。また、各補助ローラ２２は側壁３上を回動するので、シャッタ用開閉板１１の開閉時に負荷が大きくなることもない。
【００２８】
図８は、本考案のもう一つの実施の形態に従った木質家具の開閉用シャッタにおいて、筐体の側壁とヒンジの関係を示す断面図である。
【００２９】
本実施形態においては、連結方向両端部のプレート１２の両端の短辺部には、ボルト及びナットのような適宜な方法により補助ローラ２２が配されている。各補助ローラ２２は、シャッタ用開閉板１１の開閉時にガイド溝２３の直立壁２３３上を回動することができる位置に取り付けられている。
【００３０】
このような構成によっても、各補助ローラ２２によりシャッタ用開閉板１１が対向する側壁３の間をプレート１２の長辺方向に動くことを阻止するので、各案内ローラ２１が補助溝２４上をより安定して走行し、各案内ローラ２１がガイド溝２３の直立壁２３３に接することはなく、木粉も発生しない。また、各補助ローラ２２は、ガイド溝２３の直立壁２３３上を回動するので、シャッタ用開閉板１１の開閉時に負荷が大きくなることもない。
【００３１】
図９は、本考案のさらにもう一つの実施の形態に従った木質家具の開閉用シャッタにおいて、筐体を形成する側壁とヒンジの関係を示す断面図である。
【００３２】
本実施形態においては、ガイド溝２３に補助溝２４が形成されておらず、シャッタ用開閉板１１を形成する連結方向両端部のプレート１２の両端の短辺部には、ボルト及びナットのような適宜な方法により補助ローラ２２が配されている。
【００３３】
このような構成によっても、各補助ローラ２２によりシャッタ用開閉板１１が対向する側壁３の間をプレート１２の長辺方向に動くことを阻止するので、各案内ローラ２１がガイド溝２３の直立壁２３３に接することはなく、木粉も発生しない。また、各補助ローラ２２は、ガイド溝２３の直立壁２３３上を回動するので、シャッタ用開閉板１１の開閉時に負荷が大きくなることもない。
【００３４】
以上の実施の形態において、プレート１２はシャッタ用開閉板１１を軽快に開閉するためにプラスチック製であることが好ましいがこれには限られない。また、案内ローラ２１及び補助ローラ２２はガイド溝２３又は側壁３上を滑らかに回動するためにプラスチック製であることが好ましいが、発明の効果を奏するのであればこれには限られない。
【００３５】
以上に開示された実施の形態はすべての点で例示であって制限的なものではないと考慮されるべきである。本考案の範囲は以上の実施の形態ではなく、実用新案登録請求の範囲によって示され、実用新案登録請求の範囲と均等の意味および範囲内でのすべての修正と変形を含むものであることが意図される。
【符号の説明】
【００３６】
１  木質家具
２  筐体
３  側壁
１１  シャッタ用開閉板
１２  プレート
１３  ヒンジ
２１  案内ローラ
２２  補助ローラ
２３  ガイド溝
２４  補助溝
【図１】
0003153999.tif 000003
【図２】
0003153999.tif 000004
【図３】
0003153999.tif 000005
【図４】
0003153999.tif 000006
【図５】
0003153999.tif 000007
【図６】
0003153999.tif 000008
【図７】
0003153999.tif 000009
【図８】
0003153999.tif 000010
【図９】
0003153999.tif 000011